(57)【特許請求の範囲】
【請求項１】
スタンド本体と、このスタンド本体の下部に取付けられ床面に設置されるペダルフレームおよびペダルと、前記ペダルのヒールに設けられ前記ペダルフレームに着脱可能に連結された連結部材と、前記ペダルフレームとともに前記スタンド本体を支持する折畳み自在なスタンド脚とを備えた楽器用スタンドにおいて、
前記スタンド本体にペダル係止部を設け、
前記ペダルに前記ペダル係止部に対応して係止孔を設け、
スタンドの収納、運搬時に前記連結部材を前記ペダルフレームから外して前記ペダルを上下反転させ前記係止孔を前記ペダル係止部によって係止することにより前記ペダルを前記スタンド本体に沿って収納することを特徴とする楽器用スタンド。
【請求項２】
請求項１記載の楽器用スタンドにおいて、
スタンドの収納、運搬時に前記ペダルフレームから分離した前記連結部材を係止する係止部を前記ペダルの裏面に設けたことを特徴とする楽器用スタンド。
【発明の詳細な説明】
【０００１】
【発明の属する技術分野】
本発明は、シンバルの演奏時に用いられるハイハットスタンド等の楽器用スタンドに関する。
【０００２】
【従来の技術】
図５にシンバルの演奏に用いられる従来のハイハットスタンドを示す。このハイハットスタンド１は、折畳み自在なスタンド脚２に取付けられた中空のスタンド本体３と、このスタンド本体３を摺動自在に貫通する作動ロッド４と、この作動ロッド４を上方へ付勢するばね装置５と、スタンド本体３の下部に取付けられたペダル装置６等を備え、スタンド本体３の上部に下側固定シンバル７を取付け、作動ロッド４の上部に上側可動シンバル８を下側固定シンバル７に対向させて取付けている。
【０００３】
前記スタンド脚２は、スタンド本体３の周囲に等角度離して配置される３本の脚９ａ，９ｂ，９ｃと、各脚９ａ，９ｂ，９ｃの上端を連結する第１の脚金具１０と、各脚９ａ，９ｂ，９ｃの中間部に一端が連結された３本のステー１１ａ，１１ｂ，１１ｃと、各ステー１１ａ，１１ｂ，１１ｃの他端を連結する第２の脚金具１２とを備え、第１、第２の脚金具１０，１２が前記スタンド本体３にボルトによって固定されている。脚９ａ，９ｂ，９ｃとステー１１ａ，１１ｂ，１１ｃは、ハイハットスタンド１の収納、運搬時に第１の脚金具１０を固定しているねじを緩めて同脚金具をスタンド本体３に沿って上方に移動させると折り畳まれる。
【０００４】
前記ばね装置５は、スタンド本体３の下部の外周に固定されたパイプ１３と、このパイプ１３内に組み込まれた図示しない復帰用ばねとを備え、このばねによって前記作動ロッド４およびペダル装置６のペダル１６に上方への復帰習性を付与している。
【０００５】
前記ペダル装置６は、スタンド本体３の下端に取付けられ床面上に設置される側面視Ｌ字状のペダルフレーム１４と、後端側（演奏者側端）にヒール１５を有する前記ペダル１６と、前記ヒール１５に取付けられ前記ペダルフレーム１４に着脱可能に連結される連結部材１７と、前記ペダル１６の前端（スタンド側端）を前記作動ロッド４の下端に連結するベルト等の伝達部材１８を備え、演奏時に前記ペダル１６を足で踏み込んで作動ロッド４を前記ばね装置５のばねに抗して引き下げると、上側可動シンバル８が下側固定シンバル７を打撃するように構成されている。連結部材１７は、通常金属棒の折り曲げ形成によって平面視コ字状に形成されて屈曲部が前記ヒール１５の下面に固定され、両端部に外側に略直角に折り曲げ形成された折曲部が前記ペダルフレーム１４の下部に設けた係止孔に抜き差し自在に連結され、これによってペダルフレーム１４とヒール１５との相対距離を一定に保ち、ペダル１６の安定した状態での踏込操作を可能にしている。
【０００６】
このようなハイハットスタンド１は、運搬とセッティング操作が容易で、小さなスペースに収納し得ることが要求される。このため、スタンド脚２を折畳み自在に構成し、下側固定シンバル７、上側可動シンバル８およびペダルフレーム１４をスタンド本体３、作動ロッド４、スタンド本体３に対してそれぞれ着脱可能に取付けている。一方、ペダル１６は、伝達部材１８によって作動ロッド４に連結されているため、スタンド本体３からは分離することができず、連結部材１７をペダルフレーム１４から外すことにより、ペダルフレーム１４から分離される。
【０００７】
【発明が解決しようとする課題】
しかしながら、従来のハイハットスタンド１は、連結部材１７をペダルフレーム１４から外してペダル１６をペダルフレーム１４から分離しても、ペダル１６をスタンド本体３に対して固定する構造を採っていないため、スタンド本体３の運搬時にペダル１６を下にしてスタンド本体３を水平に持ち運ぶと、ペダル１６が垂れ下って前後左右に揺れたり回転し、反対にペダル１６をスタンド本体３の上に載せて持ち運ぶとスタンド本体３を手で保持し難く、このため両手でスタンド本体３を保持して持ち運ばなければならず、持ち運び難いという問題があった。
【０００８】
同様に、連結部材１７もペダル１６またはスタンド本体３に対して係止する構造を採っていないため、ペダル１６を垂れ下った状態で持ち運ぶと、ペダル１６とともに揺れ動き、他の楽器や構造物等に引っ掛かったり接触したりするおそれがあり、持ち運びに十分な注意を払う必要があった。
【０００９】
本発明は上記した従来の問題を解決するためになされたもので、その目的とするところは、持ち運び時にペダルや連結部材が動いたりすることがなく、片手の把持による持ち運びを可能にした楽器用スタンドを提供することにある。
【００１０】
【課題を解決するための手段】
上記目的を達成するために第１の発明は、スタンド本体と、このスタンド本体の下部に取付けられ床面に設置されるペダルフレームおよびペダルと、前記ペダルのヒールに設けられ前記ペダルフレームに着脱可能に連結された連結部材と、前記ペダルフレームとともに前記スタンド本体を支持する折畳み自在なスタンド脚とを備えた楽器用スタンドにおいて、前記スタンド本体にペダル係止部を設け、前記ペダルに前記ペダル係止部に対応して係止孔を設け、スタンドの収納、運搬時に前記連結部材を前記ペダルフレームから外して前記ペダルを上下反転させ前記係止孔を前記ペダル係止部によって係止することにより前記ペダルを前記スタンド本体に沿って収納することを特徴とする。
【００１１】
第２の発明は、上記第１の発明において、スタンドの収納、運搬時に前記ペダルフレームから分離した前記連結部材を係止する係止部を前記ペダルの裏面に設けたことを特徴とする。
【００１２】
本発明において、ペダルはペダル係止部に係止されるので、持ち運び時にペダルを下にしてスタンド本体を保持しても、ペダルが垂れ下って前後左右に動いたり回転したりすることがなく持ち運びを容易にする。
また、連結部材も係止部によって係止されるので、持ち運び時に他の楽器や構造物に引っ掛かったり接触したりすることがない。
【００１３】
【発明の実施の形態】
以下、本発明を図面に示す実施の形態に基づいて詳細に説明する。
図１は本発明をハイハットスタンドに適用した実施の形態を示す要部の断面図、図２はペダルの底面図、図３は係止部材の斜視図である。なお、従来技術の欄で示した構成部材等と同一のものについては同一の符号をもって示し、その説明を適宜省略する。
【００１４】
これらの図において、本実施の形態においては、作動ロッド４とペダル１６に上方への復帰習性を付与する復帰用ばね２６をスタンド本体３の内部に組み込んだハイハットスタンド２０に適用した例を示す。
【００１５】
ハイハットスタンド２０は、折畳み自在なスタンド脚２とペダル装置６によって支持されたスタンド本体３を備えている。スタンド本体３は、下パイプ２１と、この下パイプ２１の上端に接続された中パイプ２２および上パイプ２３（図５参照）とを備え、これらのパイプ２１，２２，２３に前記作動ロッド４が摺動自在に貫通している。下パイプ２１と中パイプ２２の外周には、スタンド脚２の第１、第２の脚金具１０，１２がねじ２５によって固定され、上パイプ２３の上端に下側固定シンバル７が上向きに取付けられ、作動ロッド４の上端側に上側可動シンバル８が下向きに取付けられている。
【００１６】
また、下パイプ２１は、下端側が前記ペダル装置６のペダルフレーム１４に固定され、内部には前記復帰用ばね２６が弾装されている。この復帰用ばね２６の上端は、前記作動ロッド４に設けたばね受けリング２７に圧接され、下端が下パイプ２１の下端開口部を閉塞する蓋部材２８に圧接されている。前記作動ロッド４の下端は、前記蓋部材２８に設けた貫通穴を貫通してスタンド本体３の下方に突出している。さらに、下パイプ２１の外周面上端部には、ハイハットスタンド２０の収納、運搬時にペダル１６を係止するペダル係止部３０が設けられている。このペダル係止部３０は、六角孔付ボルトからなり、下パイプ２１の外周に突設した取付部３１のねじ孔にねじ込まれている。このようなペダル係止部３０は、下パイプ２１に取付けられるボルト等の部品に限らず、下パイプ２１に一体に突設される突起であってもよい。
【００１７】
前記ペダルフレーム１４は、正面視ロ字状に形成されることにより、上下に対向する下フレーム１４Ａおよび上フレーム１４Ｂと、これらの上、下フレーム１４Ａ，１４Ｂを連結する左右一対の支柱１４Ｃとからなり、下フレーム１４Ａが床面に設置され、上フレーム１４Ｂの上面中央に前記スタンド本体３の下端が設置固定され、作動ロッド４の下端部が上フレーム１４Ｂの下方に延在している。また、下フレーム１４Ａの両端には、係止孔３３を有する足部３２がペダル１６方向に一体に突設されている。係止孔３３は、ハイハットスタンド２０の収納、運搬時に連結部材１７を係止するためのもので、足部３２の外側面と内側面に開口するように形成されている。
【００１８】
前記ペダル１６は、前端側が前記作動ロッド４の下端にベルト等の伝達部材１８を介して連結され、後端側にヒール１５がピン結合されている。また、ペダル１６の後端側の幅方向中央には前記ペダル係止部３０によって係止される鍵穴形状の係止孔３５が形成されている。
【００１９】
前記ペダルフレーム１４と前記ヒール１５を着脱可能に連結する前記連結部材１７は、適宜な外径を有する金属棒を折り曲げることによりコ字状に形成され、屈曲部１７Ａが前記ヒール１５の下面に固定されている。この固定は、ヒール１５と固定板３６とで屈曲部１７Ａを挟み、固定板３６を複数個の止めねじ３７によってヒール１５の下面に固定することにより行われる。
【００２０】
前記連結部材１７の前方に延在する左右一対の直線部１７Ｂは、先端にいたるにしたがって間隔が広がるように外側に傾斜し、先端間の間隔が前記下フレーム１４Ａの左右の足部３２の間隔より大きく設定されている。また各直線部１７Ｂの先端には外側に略直角に折り曲げられた折曲部１７Ｃが設けられており、この折曲部１７Ｃは前記足部３２の係止孔３３に内側から差し込まれている。係止孔３３の折曲部１７Ｃに対する抜き差しは、左右の直線部１７Ｂを内側に弾性変形させることにより、容易に行うことができる。
【００２１】
さらに、前記ペダル１６の裏面で前端側両側部には、ハイハットスタンド２０の収納、運搬時に前記連結部材１７の直線部１７Ｂを係止する係止部４０が設けられている。この係止部４０は、本実施の形態においては図３に示す金具４１に設けた横向きのＵ字状溝によって構成されている。
【００２２】
前記金具４１は、ねじ取付孔４３を有する本体４１Ａと、この本体４１Ａの上面中央に突設されたＵ字状溝４０を有する突起部４１Ｂとからなり、Ｕ字状溝４０がペダル１６の中央側を向くようにペダル１６の下面にビスによって固定されている。Ｕ字状溝４０による連結部材１７の係止は、直線部１７Ｂを図２に二点鎖線で示すように内側に弾性変形させ、その弾撥力によってＵ字状溝４０に係入させることにより容易に行うことができる。
【００２３】
ここで、本実施の形態においては、連結部材１７を係止する係止部を金具４１に設けたＵ字状溝４０で構成したが、これに限らず前記金具４１と同形状の突起をペダル１６の下面に一体に突設し、その溝部分を係止部としてもよいことは勿論である。
【００２４】
このような構造からなるハイハットスタンド２０においては、持ち運びに当たってペダル１６をスタンド本体３の外周に沿って固定することができる。すなわち、図４（ａ）に示すように連結部材１７の折曲部１７Ｃを足部３２の係止孔３３から抜き出して下フレーム１４Ａと連結部材１７を分離する。次に、図４（ｂ）に示すようにペダル１６をヒール１５が上になるように持ち上げてペダル１６の係止孔３５とスタンド本体３のペダル係止部３０とを係合させると、ペダル１６を下パイプ２１の外周に沿って係止することができる。また、連結部材１７の直線部１７Ｂを内側に弾性変形させて金具４１のＵ字状溝である係止部４０に内側から係合させると、連結部材１７をペダル１６の下面に沿って係止することができる。
【００２５】
したがって、スタンド本体３の持ち運び時にペダル１６が垂れ下ったり、前後に揺れて回転したりすることがなく、片手でスタンド本体３を保持して持ち運ぶことができる。また、連結部材１７もペダル１６の下面に係止されているので、他の楽器や構造物に当たったりするおそれがなく、スタンド本体３の持ち運び性を向上させることができる。
【００２６】
また、収納部に収納したり、収納部から引き出すときも、ペダル１６および連結部材１７が動いたりすることがないので、収納部への収納操作および収納部からの取出し操作も容易である。
【００２７】
なお、上記した実施の形態においては、ハイハットスタンドに適用した例を示したが、本発明はこれに限定されるものではなく、ペダル装置６を備えた楽器用のスタンド全般に適用することができる。
また、本発明は、復帰用ばね２６をパイプ本体３内に内蔵したハイハットスタンドに適用した例を示したが、図５に示したばね装置５をスタンド本体３に外付けしたタイプのハイハットスタンド１にも適用することが可能である。
さらに、ペダル係止部３０としては、ボルトに限らず種々の形状のもの、例えば合成樹脂製でペダル１６またはヒール１５を弾性的に挟持するものであってもよく、またその数も１つに限らず２個以上設けるとより一層確実に係止することができる。
【００２８】
【発明の効果】
以上説明したように本発明に係る楽器用スタンドによれば、ペダルをスタンド本体に係止することができるので、運搬時にペダルが垂れ下って前後左右に揺れたり、回転したりすることがなくなるから持ち運び易くなる。
また、連結部材もペダルに係止されるので、他の楽器や構造物に接触したり引っ掛かるおそれがなく、気楽に持ち運ぶことができる。
【図面の簡単な説明】
【図１】本発明をハイハットスタンドに適用した実施の形態を示す要部の断面図である。
【図２】ペダルの底面図である。
【図３】金具の斜視図である。
【図４】（ａ）、（ｂ）はペダルの係止を説明するための図である。
【図５】従来のハイハットスタンドの外観斜視図である。
【符号の説明】
１…ハイハットスタンド、２…スタンド脚、３…スタンド本体、４…作動ロッド、６…ペダル装置、７…下側固定シンバル、８…上側可動シンバル、１７…連結部材、３０…ペダル係止部、３２…足部、３３…係止孔、３５…係止孔、４０…金具、４０…係止部。
【図１】
0003620363.tif 000002
【図２】
0003620363.tif 000003
【図３】
0003620363.tif 000004
【図４】
0003620363.tif 000005
【図５】
0003620363.tif 000006